(57)【要約】【課題】吊荷にワイヤを玉掛けする際の安全性の向上を実現したうえで、クレーンによる運搬作業をも安全且つ迅速に行うことが可能である玉掛け補助装置を提供する。【解決手段】長尺状の吊荷ＰにワイヤＷを玉掛けしてクレーンフックＦの上昇により吊り上げる際に用いる玉掛け補助装置であって、吊荷Ｐの吊り上げ部位Ｐ１にワイヤＷを掛ける段階で、このワイヤＷを吊荷Ｐの吊り上げ部位Ｐ１において鉛直ないしそれに近い状態に起立させると共に、クレーンフックＦを上昇させて吊荷Ｐを吊り上げた段階で、クレーンフックＦ部分及び吊荷Ｐの吊り上げ部位Ｐ１を結ぶ線ＬにワイヤＷを沿わせる吊幅保持機構１０を備えた。【選択図】図１
2009113884.tif 000002
【特許請求の範囲】
【請求項１】
長尺状の吊荷にワイヤを玉掛けしてクレーンフックの上昇により吊り上げる際に用いる玉掛け補助装置であって、
前記吊荷の吊り上げ部位にワイヤを掛ける段階で、このワイヤを前記吊荷の吊り上げ部位において鉛直ないしそれに近い状態に起立させると共に、前記クレーンフックを上昇させて前記吊荷を吊り上げた段階で、前記クレーンフック部分及び前記吊荷の吊り上げ部位を結ぶ線に前記ワイヤを沿わせる吊幅保持機構を備えた
ことを特徴とする玉掛け補助装置。
【請求項２】
前記吊幅保持機構は、一端が前記クレーンフックに連結し且つ他端が連結手段を介してワイヤと連結する二本の間接吊上げ部材と、水平方向の中心軸を介して該中心軸周りに互いに回動自在に連結した二組のアームユニットを具備し、二組のアームユニットの各回動端部と、二本の間接吊上げ部材の各連結手段とを水平軸周りに回動自在に連結している請求項１に記載の玉掛け補助装置。
【請求項３】
前記吊荷を着地させた段階で、前記ワイヤを前記吊荷の吊り上げ部位において再び鉛直ないしそれに近い状態に起立させる復帰手段を設けた請求項１又は２に記載の玉掛け補助装置。
【請求項４】
前記吊幅保持機構におけるアームユニットの中心軸を間にして回動端部とは反対側に配置した錘を復帰手段とした請求項３に記載の玉掛け補助装置。
【請求項５】
前記吊幅保持機構は、前記吊荷に玉掛けされる二本のワイヤ間に位置して、前記吊荷の吊り上げ部位にワイヤを掛ける段階で、二本のワイヤを互いに離間する方向に押圧して前記吊荷の吊り上げ部位において鉛直ないしそれに近い状態に起立させると共に、前記クレーンフックを上昇させて前記吊荷を吊り上げた段階で、二本のワイヤが互いに接近するのを許容して前記クレーンフック部分及び前記吊荷の吊り上げ部位を結ぶ線に前記ワイヤを沿わせる弾性部材及び弾性部材ガイドを具備している請求項１に記載の玉掛け補助装置。
【請求項６】
前記吊幅保持機構は、前記吊荷に玉掛けされる二本のワイヤ間に水平軸周りに回動自在に配置されて、前記吊荷の吊り上げ部位にワイヤを掛ける段階で、自重により下方向に回動することで二本のワイヤを互いに離間する方向に押圧して前記吊荷の吊り上げ部位で鉛直ないしそれに近い状態に起立させると共に、前記クレーンフックを上昇させて前記吊荷を吊り上げた段階で、互いに接近する二本のワイヤにより上方向に回動して前記クレーンフック部分及び前記吊荷の吊り上げ部位を結ぶ線に前記ワイヤを沿わせる回動バー及びバー支持部を具備している請求項１に記載の玉掛け補助装置。
【発明の詳細な説明】
【技術分野】
【０００１】
本発明は、長尺状の吊荷にワイヤを玉掛けしてクレーンで吊り上げる際に用いるのに好適な玉掛け補助装置に関するものである。
【背景技術】
【０００２】
上記したように、長尺状の吊荷にワイヤを玉掛けしてクレーンで吊り上げる場合には、バランスの取れた吊り上げ状態を確保するうえで、ワイヤの吊幅を適正なものにする必要がある。
従来、適正なワイヤの吊幅を確保するために、クレーンフックを上昇させてワイヤにテンションを与えた状態、いわゆる地切り状態において、作業者が棒状のものでワイヤを押してワイヤの適正吊幅を出すようにしていた。
【０００３】
この玉掛け作業における吊幅出しにおいて、安全を心がけて棒状のものでワイヤを押すようにしているものの、作業者が吊荷の近傍に近づくことには変わりがなく、安全であるとは言い難い。
そこで、最近では、クレーンフックに引掛けたワイヤの下端部間に水平バーを架設すると共に、この水平バーの両端部にワイヤをそれぞれ垂設して、これらのワイヤ間に吊荷を掛け渡すようにした、いわゆる天秤吊具が用いられている（例えば、特許文献１参照）。
【特許文献１】特開平０５−２０１６８８号公報
【発明の開示】
【発明が解決しようとする課題】
【０００４】
ところが、上記した天秤吊具にあっては、クレーンによる運搬時において、クレーンフック部分での揺れに加えて、クレーンフックに引掛けたワイヤと水平バーとの連結部分での揺れ、及び、吊荷と水平バーに垂設したワイヤとの接触部分での揺れが生じることから、クレーンの運転開始時及び運転停止時において、吊荷が複雑な動きを呈してしまう。
つまり、クレーン操縦者の経験の多寡や熟練度の違いにもよるが、吊荷の複雑な動きが収まらないうちに、例えば、吊荷を旋盤のチャックへセットしようとする場合には、吊荷の端部をチャックにぶつける可能性が高いことから、結局、大半の場合は、吊荷の複雑な動きが収まるまで次の作業を待つことを余儀なくされていた。
【０００５】
本発明は、上記した従来の課題に着目してなされたもので、吊荷にワイヤを玉掛けする際の安全性の向上を実現したうえで、クレーンによる運搬作業をも安全且つ迅速に行うことが可能である玉掛け補助装置を提供することを目的としている。
【課題を解決するための手段】
【０００６】
本発明の請求項１に係る発明は、長尺状の吊荷にワイヤを玉掛けしてクレーンフックの上昇により吊り上げる際に用いる玉掛け補助装置であって、前記吊荷の吊り上げ部位にワイヤを掛ける段階で、このワイヤを前記吊荷の吊り上げ部位において鉛直ないしそれに近い状態に起立させると共に、前記クレーンフックを上昇させて前記吊荷を吊り上げた段階で、前記クレーンフック部分及び前記吊荷の吊り上げ部位を結ぶ線に前記ワイヤを沿わせる吊幅保持機構を備えた構成としたことを特徴としており、この構成の玉掛け補助装置を前述の従来の課題を解決するための手段としている。
【０００７】
本発明の請求項２に係る玉掛け補助装置において、前記吊幅保持機構は、一端が前記クレーンフックに連結し且つ他端が連結手段を介してワイヤと連結する二本の間接吊上げ部材と、水平方向の中心軸を介して該中心軸周りに互いに回動自在に連結した二組のアームユニットを具備し、二組のアームユニットの各回動端部と、二本の間接吊上げ部材の各連結手段とを水平軸周りに回動自在に連結している構成としている。
【０００８】
本発明に係る玉掛け補助装置では、吊荷の吊り上げ部位にワイヤを掛ける段階において、このワイヤが吊幅保持機構によって吊荷の吊り上げ部位で鉛直ないしそれに近い状態に起立するので、ワイヤの玉掛けが容易になって安全性が向上することとなる。
一方、クレーンフックを上昇させて吊荷を吊り上げた段階において、ワイヤが吊幅保持機構によってクレーンフック部分及び吊荷の吊り上げ部位を結ぶ線に沿うようになるので、クレーンによる運搬時における揺れの発生箇所が、クレーンフック部分での揺れだけになる。
【０００９】
すなわち、クレーンの運転開始時及び運転停止時における吊荷の動きが単純なものとなり、その結果、クレーンによる運搬作業及び次作業のセットをも安全且つ迅速に行い得ることとなる。
本発明の請求項３に係る玉掛け補助装置は、前記吊荷を着地させた段階で、前記ワイヤを前記吊荷の吊り上げ部位において再び鉛直ないしそれに近い状態に起立させる復帰手段を設けた構成とし、具体的には、本発明の請求項４に係る玉掛け補助装置として、前記吊幅保持機構におけるアームユニットの中心軸を間にして回動端部とは反対側に配置した錘を復帰手段とした構成としている。
【００１０】
このような構成の玉掛け補助装置では、吊荷を着地させた段階において、復帰手段、例えば、アームユニットの中心軸を間にして回動端部とは反対側に配置した錘によって、両アームユニットは各回動端部同士が離間する方向に回動するので、ワイヤが吊荷の吊り上げ部位において再び鉛直ないしそれに近い状態に起立することとなり、その結果、吊荷からワイヤを外す作業が行い易くなる。  
【００１１】
本発明の請求項５に係る玉掛け補助装置において、前記吊幅保持機構は、前記吊荷に玉掛けされる二本のワイヤ間に位置して、前記吊荷の吊り上げ部位にワイヤを掛ける段階で、二本のワイヤを互いに離間する方向に押圧して前記吊荷の吊り上げ部位において鉛直ないしそれに近い状態に起立させると共に、前記クレーンフックを上昇させて前記吊荷を吊り上げた段階で、二本のワイヤが互いに接近するのを許容して前記クレーンフック部分及び前記吊荷の吊り上げ部位を結ぶ線に前記ワイヤを沿わせる弾性部材及び弾性部材ガイドを具備している構成としている。
【００１２】
本発明の請求項６に係る玉掛け補助装置において、前記吊幅保持機構は、前記吊荷に玉掛けされる二本のワイヤ間に水平軸周りに回動自在に配置されて、前記吊荷の吊り上げ部位にワイヤを掛ける段階で、自重により下方向に回動することで二本のワイヤを互いに離間する方向に押圧して前記吊荷の吊り上げ部位で鉛直ないしそれに近い状態に起立させると共に、前記クレーンフックを上昇させて前記吊荷を吊り上げた段階で、互いに接近する二本のワイヤにより上方向に回動して前記クレーンフック部分及び前記吊荷の吊り上げ部位を結ぶ線に前記ワイヤを沿わせる回動バー及びバー支持部を具備している構成としている。
【００１３】
上記した吊幅保持機構が弾性部材及び弾性部材ガイドを具備している構成の玉掛け補助装置や、吊幅保持機構が回動バー及びバー支持部を具備している構成の玉掛け補助装置では、構造の簡略化を図りつつ、玉掛け作業やクレーンによる運搬作業を安全且つ迅速に行い得ることとなる。
【発明の効果】
【００１４】
本発明の請求項１，２に係る玉掛け補助装置では、上記した構成としているので、吊荷にワイヤを玉掛けする際の安全性を格段に向上させることができ、加えて、クレーンによる運搬作業をも安全且つ迅速に行うことが可能であるという非常に優れた効果がもたらされる。
本発明の請求項３，４に係る玉掛け補助装置では、上記した構成としたから、請求項１，２に係る玉掛け補助装置と同じ効果が得られるのに加えて、吊荷からワイヤを外す作業を簡単に行うことができる。  
【００１５】
本発明の請求項５，６に係る玉掛け補助装置では、上記した構成としたため、構造の簡略化を実現しつつ、玉掛け作業やクレーンによる運搬作業を安全且つ迅速に行うことが可能である。
【発明を実施するための最良の形態】
【００１６】
以下、本発明に係る玉掛け補助装置を図面に基づいて説明する。
図１〜図３は、本発明に係る玉掛け補助装置の一実施形態を示している。
図１に示すように、この玉掛け補助装置１は、クレーンフックＦに掛止するマスタリンク２と、このマスタリンク２に掛止するフック３を上端に具備し且つ長尺状の吊荷Ｐに玉掛けするワイヤＷを掛止するスリングフック４を下端に具備した二本のチェーン５，５と、これらのスリングフック４，４間に設けた吊幅保持機構１０を備えている。
【００１７】
この吊幅保持機構１０は、二組のアームユニット１１，１１を具備している。このアームユニット１１は、図２にも示すように、二枚のプレート１２同士を対向させてなっており、一方のアームユニット１１は、他方のアームユニット１１のプレート１２，１２間に位置していて、二組のアームユニット１１，１１は、互いに交差した状態で水平方向の中心軸１３を介して互いに回動自在に連結してある。
【００１８】
この実施形態において、スリングフック４を有する二本のチェーン５，５は、二組のアームユニット１１，１１とともに吊幅保持機構１０を構成しており、二組のアームユニット１１，１１の各回動端部１１ａ，１１ａは、いずれも二本のチェーン５，５の各スリングフック４，４と水平軸１４を介して回動自在に連結している。
この場合、吊幅保持機構１０におけるアームユニット１１の中心軸１３を間にして回動端部１１ａとは反対側には、復帰手段としての錘１５が配置してある。
【００１９】
この実施形態における玉掛け補助装置１では、長尺状の吊荷Ｐの吊り上げ部位Ｐ１，Ｐ１にワイヤＷを掛ける段階において、図１に実線で示すように、吊幅保持機構１０の二組のアームユニット１１，１１が、互いに水平状態を維持して各々の回動端部１１ａ，１１ａ同士の間隔を大きく保持しているので、すなわち、ワイヤＷを掛止するスリングフック４，４の距離を広げているので、ワイヤＷが吊荷Ｐの吊り上げ部位Ｐ１，Ｐ１において鉛直ないしそれに近い状態に起立することとなり、ワイヤＷの玉掛けが容易になって安全性が向上することとなる。
【００２０】
一方、クレーンフックＦを上昇させて吊荷Ｐを吊り上げた段階において、図１に仮想線で示すように、吊幅保持機構１０の二組のアームユニット１１，１１が、吊荷Ｐの重さにより互いに垂直になるように回動して各々の回動端部１１ａ，１１ａ同士の間隔を小さくするので、すなわち、ワイヤＷを掛止するスリングフック４，４の距離を狭めるので、クレーンフックＦ部分及び吊荷Ｐの吊り上げ部位Ｐ１，Ｐ１を結ぶ線ＬにワイヤＷが沿うこととなり、クレーンによる運搬時における揺れの発生箇所が、クレーンフックＦ部分での揺れだけになる。
【００２１】
つまり、クレーンの運転開始時及び運転停止時における吊荷Ｐの動きが単純なものとなり、その結果、クレーンによる運搬作業及び次作業のセット、例えば、旋盤のチャックに対するセットをも安全且つ迅速に行い得ることとなる。
そして、吊荷Ｐを旋盤のチャックにセットした段階において、吊幅保持機構１０におけるアームユニット１１の中心軸１３を間にして回動端部１１ａとは反対側には、錘１５が配置してあるので、この錘１５の自重によって二組のアームユニット１１，１１が互いに水平になるように回動して、ワイヤＷが吊荷Ｐの吊り上げ部位Ｐ１，Ｐ１において再び鉛直ないしそれに近い状態に起立することとなり、その結果、吊荷ＰからワイヤＷを外す作業が行い易くなる。
【００２２】
なお、上記した実施形態の玉掛け補助装置１では、吊幅保持機構１０の二組のアームユニット１１，１１がいずれも水平状態を維持して、ワイヤＷを掛止するスリングフック４，４の距離を大きく広げる場合を示したが、吊荷Ｐの長さが短い場合には、図３に示すように、スリングフック４，４の距離を狭めて使用することができる。
図４は、本発明に係る玉掛け補助装置の他の実施形態を示している。
【００２３】
図４に示すように、この玉掛け補助装置１において、吊幅保持機構２０は、吊荷Ｐに玉掛けされる二本のワイヤＷ，Ｗ間に位置する弾性部材としてのコイルばね２１及び弾性部材ガイドとしてのばねガイド２２を具備している。
この玉掛け補助装置１では、吊荷Ｐの吊り上げ部位Ｐ１，Ｐ１にワイヤＷを掛ける段階で、図４（ａ）に示すように、コイルばね２１が二本のワイヤＷ，Ｗを互いに離間する方向に押圧して吊荷Ｐの吊り上げ部位Ｐ１，Ｐ１において鉛直ないしそれに近い状態に起立させると共に、クレーンフックＦを上昇させて吊荷Ｐを吊り上げた段階で、図４（ｂ）に示すように、コイルばね２１が二本のワイヤＷ，Ｗが互いに接近するのを許容してクレーンフックＦ部分及び吊荷Ｐの吊り上げ部位Ｐ１を結ぶ線ＬにワイヤＷを沿わせるようにしており、これにより、玉掛け補助装置１では、構造の簡略化を図りつつ、玉掛け作業やクレーンによる運搬作業を安全且つ迅速に行い得ることとなる。
【００２４】
図５は、本発明に係る玉掛け補助装置のさらに他の実施形態を示している。
図５に示すように、この玉掛け補助装置１において、吊幅保持機構３０は、吊荷Ｐに玉掛けされる二本のワイヤＷ，Ｗ間に水平軸３３周りに回動自在に配置された回動バー３１及びバー支持部３２を具備している。
この玉掛け補助装置１では、吊荷Ｐの吊り上げ部位Ｐ１，Ｐ１にワイヤＷを掛ける段階で、図５（ａ）に示すように、回動バー３１がその自重により下方向に回動することで二本のワイヤＷ，Ｗを互いに離間する方向に押圧して吊荷Ｐの吊り上げ部位Ｐ１，Ｐ１で鉛直ないしそれに近い状態に起立させると共に、クレーンフックＦを上昇させて吊荷Ｐを吊り上げた段階で、図５（ｂ）に示すように、回動バー３１が互いに接近する二本のワイヤＷ，Ｗにより上方向に回動してクレーンフックＦ部分及び吊荷Ｐの吊り上げ部位Ｐ１を結ぶ線ＬにワイヤＷを沿わせるようにしており、この玉掛け補助装置１でも、構造の簡略化を図りつつ、玉掛け作業やクレーンによる運搬作業を安全且つ迅速に行い得ることとなる。
【００２５】
本発明に係る玉掛け補助装置の構成は、上記した実施形態による各玉掛け補助装置１の構成に限定されるものではない。
【図面の簡単な説明】
【００２６】
【図１】本発明に係る玉掛け補助装置の一実施形態を示すワイヤ玉掛け時の正面説明図である。
【図２】図１における玉掛け補助装置の側面説明図である。
【図３】図１における玉掛け補助装置の吊幅を最も狭めた状態の正面説明図である。
【図４】本発明に係る玉掛け補助装置の他の実施形態を示すワイヤ玉掛け時の正面説明図（ａ）及び吊上げ時の正面説明図（ｂ）である。
【図５】本発明に係る玉掛け補助装置のさらに他の実施形態を示すワイヤ玉掛け時の正面説明図（ａ）及び吊上げ時の正面説明図（ｂ）である。
【符号の説明】
【００２７】
１  玉掛け補助装置
４  スリングフック（連結手段）
５  チェーン（間接吊上げ部材）
１０，２０，３０  吊幅保持機構
１１  アームユニット
１１ａ  アームユニットの回動端部
１３  中心軸
１４  水平軸
１５  錘（復帰手段）
２１  コイルばね（弾性部材）
２２  ばねガイド（弾性部材ガイド）
３１  回動バー
３２  バー支持部
３３  水平軸
Ｆ  クレーンフック
Ｌ  クレーンフック部分と吊荷の吊り上げ部位を結ぶ線
Ｐ  吊荷
Ｐ１  吊荷Ｐの吊り上げ部位
Ｗ  ワイヤ  
【図１】
2009113884.tif 000003
【図２】
2009113884.tif 000004
【図３】
2009113884.tif 000005
【図４】
2009113884.tif 000006
【図５】
2009113884.tif 000007